(57)【特許請求の範囲】
【請求項１】
同幅一対のパネルの隣接する縦框を相互にヒンジ連結して伸張折畳み自在としたシャッター単位の非連結側の各縦框をそれぞれ開口枠の上下枠間に上吊支持して各シャッター単位の単独開閉を自在とした横引きシャッターに用いて、上記パネルを開口枠の下枠との間で封止自在とするパネル下端封止装置であって、シャッター単位の各パネルの下框の下向き開口溝に収納配置し、上向き開口溝と下向き突出の封止ビートを一連に配置した長寸の昇降枠と、該昇降枠の上向き開口溝の長手方向両端部近傍にスライド自在に収納配置した収納基部及び該収納基部の上記上向き開口溝の長手方向両端側で上方に突出するように起立配置した起立部を有するＬ字状一対のアームと、該アームの起立部に固定して昇降枠の長手方向両端側でその上位に配置したバー状一対の端部スライド杆と、該一対の端部スライド杆の非固定側端部にそれぞれ固定して突出配置した一対の突没用の作動突起と、上記一対のアームの各起立部に長手方向両端の折曲片を端部スライド杆側に向けてスライド自在に引掛保持して該一対のアームの起立部間に介設して長手方向中間を昇降枠の上向き開口溝に収納し且つ長手方向中間の該収納部位に配置した昇降枠支持部材及び長手方向両端近傍にストッパーを配置した長寸の板バネと、上記アームの起立部と該板バネのストッパー間に板バネ長手方向両端を被嵌して介設した一対のコイルスプリングとを備えてなることを特徴とする横引きシャッターのパネル下端封止装置。
【請求項２】
上記昇降枠の上向き開口溝に、上端折曲片を配置し、上記板バネの昇降枠支持部材を該折曲片によって抜止め保持して、該板バネを介して上記一対の端部スライド杆及び一対のアームを該昇降枠に一体的に保持することによって部材一体のユニットとしてなることを特徴とする請求項１に記載の横引きシャッターのパネル下端封止装置。
【請求項３】
上記部材一体のユニットを、昇降枠の長手方向一端からアームの収納基部及び板バネの昇降枠支持部材をスライド挿入して行い且つ昇降枠の長手方向両端に端部キャップを嵌合配置して形成してなることを特徴とする請求項１又は２に記載の横引きシャッターのパネル下端封止装置。
【請求項４】
上記板バネを、帯鋼のプレス打抜き材によって形成するとともに上記ストッパー及び昇降枠支持部材を、該プレス打抜き材に形成した幅方向両側の突起を折曲することによって該板バネと一体に形成してなることを特徴とする請求項１、２又は３に記載の横引きシャッターのパネル下端封止装置。
【請求項５】
上記昇降枠支持部材を、上記昇降枠の前後内壁に対接する対向片と、昇降枠の上端に対接自在の対接片とを備えて形成してなることを特徴とする請求項１、２、３又は４に記載の横引きシャッターのパネル下端封止装置。
【請求項６】
上記アームを合成樹脂成形部材としてなることを特徴とする請求項１、２、３、４又は５に記載の横引きシャッターのパネル下端封止装置。
【請求項７】
請求項１乃至５のいずれかのパネル下端封止装置を、開口枠の上下枠間に上吊支持したシャッター単位における各パネルの下框の下向き開口溝に収納配置し且つ各パネルの縦框下端に配置した小口キャップの透孔から上記作動突起を突出配置し、シャッター単位の開閉による上記コイルスプリングの付勢力を用いた該作動突起の突没によって下框の下向き開口溝内で昇降枠の昇降を自在としてなることを特徴とするパネル下端封止装置を備えた横引きシャッター。
【発明の詳細な説明】
【技術分野】
【０００１】
本発明は、横引きシャッターに関し、特にその開閉動作に連動して該横引きシャッターの下端を封止し得るようにした横引きシャッターの下端封止装置及びこれを備えた横引きシャッターに関する。
【背景技術】
【０００２】
本発明者は、下記特許文献１により、この種のパネル下端封止装置乃至これを備えた横引きシャッターを提案済みであり、特許文献１によれば、パネルの下端封止装置は、同幅一対のパネルの隣接する縦框を相互にヒンジ連結して伸張折畳み自在としたシャッター単位の非連結側の各縦框をそれぞれ開口枠の上下枠間に上吊支持して各シャッター単位の単独開閉を自在とした横引きシャッターに用いて、上記パネルを開口枠の下枠との間で封止自在とするように用いるものとしてあり、該下端封止装置は、その具体的な構成を、例えば、シャッター単位の各パネルの下框の下向き開口溝に収納配置し、上向き開口溝と下向き突出の封止ビートを一連に配置した長寸の昇降枠と、該昇降枠の長手方向両端側でその上位に配置したバー状一対の端部スライド杆と、該一対の端部スライド杆の一端にそれぞれ固定して突出配置した一対の突没用の作動突起と、上記一対の端部スライド杆の他端に連結ロッドを介してそれぞれ一端を固定して該一対の端部スライド杆の間に介設して長手方向中間を昇降枠の上向き開口溝に収納し且つ長手方向中間の該収納部位に小ブロック状にして上下中間位置を挟持することによって昇降枠支持部材を配置した長寸の板バネと、上記端部スライド杆と該板バネ間に上記連結ロッドを被嵌して介設した一対のコイルスプリングとを備えたものとし、このとき下端封止装置は、開口枠の上下枠間に上吊支持したシャッター単位における各パネルの下框の上記下向き開口溝に収納配置し且つ各パネルの縦框下端に配置した小口キャップの透孔から上記作動突起を突出配置し、シャッター単位の開閉による上記コイルスプリングの付勢力を用いた該作動突起の突没によって下框の下向き開口溝内で昇降枠の昇降を自在としてパネル下端封止装置を備えた横引きシャッターとするものとされている。
【先行技術文献】
【特許文献】
【０００３】
【特許文献１】特願２００８−１１７６１７号
【発明の概要】
【発明が解決しようとする課題】
【０００４】
この場合、シャッター単位の伸張による閉鎖時に、シャッター単位の隣接するパネルの端部同士及び隣接するシャッター単位間の隣接するパネルの端部同士を対向近接してパネル両側の作動突起を同時に押圧没入することによって昇降装置を作動し、その昇降枠を降下させ、該昇降枠の封止ビートを下枠に対接してパネルと下枠間を封止する一方、シャッター単位の折畳開成時に、作動突起の押圧を解除して付勢力によって突出することによって昇降装置を逆作動させ、昇降枠を上昇復帰させてその封止の解除を行なうようにすることが可能となり、従って、開口面の任意位置のみを開閉することによって該開閉部位で通風や屋外への出入りを行うようにする要請や、複数の開口面にフルオープンする要請に応じることが可能にして、例えばサンルームに用いるに好適な横引きシャッターの気密性を確保することができる。
【０００５】
しかし乍ら、この場合、昇降枠を昇降する板バネは、端部スライド杆に連結ロッドを介して固定されているから、端部スライド杆による板バネの保持が必ずしも安定しているとはいえず、また、昇降枠支持部材は、小ブロック状にしてその上下中間位置に板バネを挟持したものとされるから、作動突起の突没による板バネの上下方向の揺動が必ずしもスムーズ且つ確実になされるとは限らないこと、昇降枠の長手方向一端から昇降枠支持部材を挿入することによって、板バネを介して昇降枠と端部スライド杆を一体化し得るが、板バネの昇降枠支持部材以外に昇降枠と係合する部材がないので、一体化した状態でも端部スライド杆が揺動して、小口キャップを用いた下框に対する下端封止装置の装着作業が煩雑となり易く、その作業効率が低下する傾向があること等の改良すべき問題点が残されている。
【０００６】
本発明はかかる事情に鑑みてなされたもので、その解決課題とするところは、昇降枠の昇降動作を可及的スムーズ且つ確実に行って作動の安定性を確保するとともにパネルへの装着を可及的簡易且つ確実になし得るようにした横引きシャッターの下端封止装置を提供するにあり、また、この下端封止装置を備えた横引きシャッターを提供するにある。
【課題を解決するための手段】
【０００７】
上記課題に沿って本発明は、板バネの配置を、一対の端部スライド杆の長手方向端部又は中間位置に固定して上記昇降枠に収納配置した一対のアームに長手方向一端をスライド自在に保持するとともに該アームを収納枠に収納配置することによって、これを昇降枠に保持することによって、昇降枠の安定した昇降を確保するとともに下端封止装置の下框への装着を可及的容易になし得るものとしたものであって、即ち、請求項１に記載の発明を、同幅一対のパネルの隣接する縦框を相互にヒンジ連結して伸張折畳み自在としたシャッター単位の非連結側の各縦框をそれぞれ開口枠の上下枠間に上吊支持して各シャッター単位の単独開閉を自在とした横引きシャッターに用いて、上記パネルを開口枠の下枠との間で封止自在とするパネル下端封止装置であって、シャッター単位の各パネルの下框の下向き開口溝に収納配置し、上向き開口溝と下向き突出の封止ビートを一連に配置した長寸の昇降枠と、該昇降枠の上向き開口溝の長手方向両端部近傍にスライド自在に収納配置した収納基部及び該収納基部の上記上向き開口溝の長手方向両端側で上方に突出するように起立配置した起立部を有するＬ字状一対のアームと、該アームの起立部に固定して昇降枠の長手方向両端側でその上位に配置したバー状一対の端部スライド杆と、該一対の端部スライド杆の非固定側端部にそれぞれ固定して突出配置した一対の突没用の作動突起と、上記一対のアームの各起立部に長手方向両端の折曲片を端部スライド杆側に向けてスライド自在に引掛保持して該一対のアームの起立部間に介設して長手方向中間を昇降枠の上向き開口溝に収納し且つ長手方向中間の該収納部位に配置した昇降枠支持部材及び長手方向両端近傍にストッパーを配置した長寸の板バネと、上記アームの起立部と該板バネのストッパー間に板バネ長手方向両端を被嵌して介設した一対のコイルスプリングとを備えてなることを特徴とする横引きシャッターのパネル下端封止装置としたものである。
【０００８】
請求項２に記載の発明は、上記に加えて、下端封止装置に用いる部材を可及的に一体化して、該下端封止装置の下框への装着を更に容易化したものとするように、これを、上記昇降枠の上向き開口溝に、上端折曲片を配置し、上記板バネの昇降枠支持部材を該折曲片によって抜止め保持して、該板バネを介して上記一対の端部スライド杆及び一対のアームを該昇降枠に一体的に保持することによって部材一体のユニットとしてなることを特徴とする請求項１に記載の横引きシャッターのパネル下端封止装置としたものである。
【０００９】
請求項３に記載の発明は、同じく上記に加えて、上記ユニットの形成を容易且つ確実になし得るとともに該ユニットの分解を容易に防止し得るものとするように、これを、上記部材一体のユニットを、昇降枠の長手方向一端からアームの収納基部及び板バネの昇降枠支持部材をスライド挿入して行い且つ昇降枠の長手方向両端に端部キャップを嵌合配置して形成してなることを特徴とする請求項１又は２に記載の横引きシャッターのパネル下端封止装置としたものである。
【００１０】
請求項４に記載の発明は、同じく上記に加えて、上記板バネを帯鋼のプレス打抜き材によって形成するとともにその長手方向両端部近傍のストッパー及び中間位置の昇降枠支持部材を該プレス打抜き材に曲げ加工を施すことによって該板バネと一体に形成して、下端封止装置の部材数を可及的に減少した低コストに形成し得るものとするように、これを、上記板バネを、帯鋼のプレス打抜き材によって形成するとともに上記ストッパー及び昇降枠支持部材を、該プレス打抜き材に形成した幅方向両側の突起を折曲することによって該板バネと一体に形成してなることを特徴とする請求項１、２又は３に記載の横引きシャッターのパネル下端封止装置としたものである。
【００１１】
請求項５に記載の発明は、同じく上記に加えて、上記板バネの揺動に応じて該昇降枠を昇降する昇降枠支持部材を、昇降枠に安定して保持して、その昇降枠の安定した昇降をなし得るものとするように、これを、上記昇降枠支持部材を、上記昇降枠の前後内壁に対接する対向片と、昇降枠の上端に対接自在の対接片とを備えて形成してなることを特徴とする請求項１、２、３又は４に記載の横引きシャッターのパネル下端封止装置としたものである。
【００１２】
請求項６に記載の発明は、同じく上記に加えて、上記アームを、高度な部材精度を確保し得て、材質的にも昇降枠における上下スライドを容易になし得るとともに昇降枠との間で電食や騒音発生等のトラブルを生じることのないものとするように、これを、上記アームを合成樹脂成形部材としてなることを特徴とする請求項１、２、３、４又は５に記載の横引きシャッターのパネル下端封止装置としたものである。
【００１３】
請求項７に記載の発明は、上記いずれかのパネル下端封止装置を装着して、シャッター単位の単独開閉を自在とすることによって、開口面の任意位置のみを開閉することによって該開閉部位で通風や屋外への出入りとフルオープンを可能とするとともにその閉鎖時に下端の気密性を確保した使い勝手の良好な横引きシャッターを提供するように、これを、請求項１乃至５のいずれかのパネル下端封止装置を、開口枠の上下枠間に上吊支持したシャッター単位における各パネルの下框の下向き開口溝に収納配置し且つ各パネルの縦框下端に配置した小口キャップの透孔から上記作動突起を突出配置し、シャッター単位の開閉による上記コイルスプリングの付勢力を用いた該作動突起の突没によって下框の下向き開口溝内で昇降枠の昇降を自在としてなることを特徴とするパネル下端封止装置を備えた横引きシャッターとしたものである。
【００１４】
本発明はこれらをそれぞれ発明の要旨として、上記課題解決の手段としたものである。
【発明の効果】
【００１５】
本発明は以上のとおりに構成したから、請求項１に記載の発明は、板バネの配置を、一対の端部スライド杆の長手方向端部又は中間位置に固定して上記昇降枠に収納配置した一対のアームに長手方向一端をスライド自在に保持するとともに該アームを収納枠に収納配置することによって、これを昇降枠に保持することによって、昇降枠の安定した昇降を確保するとともに下端封止装置の下框への装着を可及的容易になし得るものとした横引きシャッターのパネル下端封止装置を提供することができる。
【００１６】
請求項２に記載の発明は、上記に加えて、下端封止装置に用いる部材を可及的に一体化して、該下端封止装置の下框への装着を更に容易化したものとすることができる。
【００１７】
請求項３に記載の発明は、同じく上記に加えて、上記ユニットの形成を容易且つ確実になし得るとともに該ユニットの分解を容易に防止し得るものとすることができる。
【００１８】
請求項４に記載の発明は、同じく上記に加えて、上記板バネを帯鋼のプレス打抜き材によって形成するとともにその長手方向両端部近傍のストッパー及び中間位置の昇降枠支持部材を該プレス打抜き材に曲げ加工を施すことによって該板バネと一体に形成して、下端封止装置の部材数を可及的に減少した低コストに形成し得るものとすることができる。
【００１９】
請求項５に記載の発明は、同じく上記に加えて、上記板バネの揺動に応じて該昇降枠を昇降する昇降枠支持部材を、昇降枠に安定して保持して、その昇降枠の安定した昇降をなし得るものとすることができる。
【００２０】
請求項６に記載の発明は、同じく上記に加えて、上記アームを、高度な部材精度を確保し得て、材質的にも昇降枠における上下スライドを容易になし得るとともに昇降枠との間で電食や騒音発生等のトラブルを生じることのないものとすることができる。
【００２１】
請求項７に記載の発明は、上記いずれかのパネル下端封止装置を装着して、シャッター単位の単独開閉を自在とすることによって、開口面の任意位置のみを開閉することによって該開閉部位で通風や屋外への出入りとフルオープンを可能とするとともにその閉鎖時に下端の気密性を確保した使い勝手の良好な横引きシャッターを提供することができる。
【図面の簡単な説明】
【００２２】
【図１】サンルームの正面図である。
【図２】シャッター単位のパネルの正面図である。
【図３】シャッター単位のパネルの側面図である。
【図４】シャッター単位のパネルの縦断面図である。
【図５】下端封止装置の正面図である。
【図６】下端封止装置の平面図である。
【図７】図５の部分拡大正面図である。
【図８】図６の部分拡大平面図である。
【図９】アームの正面図である。
【図１０】板バネの正面図である。
【図１１】板バネの平面図である。
【発明を実施するための形態】
【００２３】
以下図面の例に従って本発明を更に具体的に説明すれば、Ａは、例えば、ベランダやウッドデッキに形成したアウトドアスペース兼用のサンルームの如き、構築物の開口に好適に設置し得るようにしたアルミ製の横引シャッター、Ｂはその下端封止装置であり、横引シャッターＡは、同幅一対のパネル２１の隣接する縦框２３を相互にヒンジ連結して伸張折畳み自在としたシャッター単位２の非連結側の各縦框２３をそれぞれ開口枠の上下枠１ａ、１ｂ間に上吊支持して各シャッター単位２の単独開閉を自在としたものとしてあり、該シャッター単位２は、例えばサンルームの開口面の単一面乃至三面を閉鎖するように該開口面に単独開閉自在に配置したものとしてある。
【００２４】
下端封止装置Ｂは、該横引きシャッターＡの上記パネル２１を開口枠の下枠１ｂとの間で封止自在とするものとして下框２４の下向き開口溝に装着してあり、該下端封止装置Ｂは、シャッター単位２の各パネル２１の下框２４の上記下向き開口溝に収納配置し、上向き開口溝と下向き突出の封止ビート３１を一連に配置した長寸の昇降枠３と、該昇降枠３の上向き開口溝の長手方向両端部近傍にスライド自在に収納配置した収納基部４１及び該収納基部４１の上記上向き開口溝の長手方向両端側で上方に突出するように起立配置した起立部４２を有するＬ字状一対のアーム４と、該アーム４の起立部４２に固定して昇降枠３の長手方向両端側でその上位に配置したバー状一対の端部スライド杆５と、該一対の端部スライド杆５の非固定側端部にそれぞれ固定して突出配置した一対の突没用の作動突起６と、上記一対のアーム４の各起立部４２に長手方向両端の折曲片７２を端部スライド杆５側に向けてスライド自在に引掛保持して該一対のアーム４の起立部４２間に介設して長手方向中間を昇降枠３の上向き開口溝に収納し且つ長手方向中間の該収納部位に配置した昇降枠支持部材７３及び長手方向両端近傍にストッパー７４を配置した長寸の板バネ７と、上記アーム４の起立部４２と該板バネ７のストッパー７４間に板バネ長手方向両端を被嵌して介設した一対のコイルスプリング８とを備えたものとしてある。
【００２５】
該下端封止装置Ｂを備えることによって、横引きシャッターＡは、そのシャッター単位２の伸張による閉鎖時に、シャッター単位２の隣接するパネル２１の端部同士及び隣接するシャッター単位２間の隣接するパネル２１の端部に位置する縦框２３同士を対向近接してパネル２１両側の作動突起６を同時に押圧没入することによって、コイルスプリング８を圧縮して、板バネ７、特にその中間の上記収納部位を作動してその昇降枠３を降下させ、該昇降枠３の封止ビート３１を下枠１ｂのビート受溝に対接することによってパネル２１と下枠１ｂ間を封止して、その気密性を確保する一方、シャッター単位２を折畳んで作動突起６の押圧を解除して、コイルスプリング８の付勢力によって突出することにより板バネ７を逆作動して、昇降枠３を上昇復帰させてその封止ビート３１の封止解除を行なうようにしてあり、これにより横引きシャッターＡの任意のシャッター単位２のみを開閉して、該開閉部位で通風や屋外への出入りを行うようにしたり、全部のシャッター単位２を開成して開口面をフルオープンしたりすることが可能となるようにしてある。
【００２６】
本例の横引シャッターＡにおけるシャッター単位２は、それぞれアルミ押出材による上框２２と下框２４と左右の縦框２３によって縦長矩形に框組みして、該框組み内にガラス、合成樹脂等の透明板乃至半透明板を装着した同幅一対のパネル２１を、その隣接する各片側の縦框２３、即ち脱出側の縦框２３を上下複数箇所に配置したヒンジによって直接に連結することによって、パネル２１の直列の伸張と、Ｖ字重合状の折畳みの双方を自在としたものとしてある。該シャッター単位２は、その各パネル２１の非連結側縦框２３に、上端において上吊ローラー２５を、下端に振止ローラー２６をそれぞれ配置してあり、該上吊ローラー２５と振止ローラー２６によって、それぞれ開口枠の上下枠１ａ、１ｂにその長手方向走行自在に上吊支持して、その上記単独乃至フルオープンの開閉を行うものとしてある。
【００２７】
昇降枠３は、これを、上面に上向き開口溝を、下面に対向する一対の脚片からなるビート受溝を有し且つパネル２１の下框２４の下向き開口に昇降自在に嵌合する前後幅と下框と略同長の長さを有するアルミ押出材に所定の加工を施したものとしてあり、このとき、上記上向き開口溝は、これに上端折曲片を配置して断面Ｃ字状とし、該上端折曲片によって昇降枠支持部材７３の抜止め保持を行うものとしてあり、また、下向き開口溝は、同じくこれに下端折曲片を配置して同様に断面Ｃ字状とし、該下端折曲片によって上記封止ビート３１の基部の抜止め保持を行って、該封止ビート３１の下向き突出の保持を行うものとしてある。
【００２８】
一対のアーム４は、これを、上記起立部４２と、該起立部４２とＬ字状をなすように対向方向に向けて突出した上記昇降枠収納の収納基部４１とを備え、上記起立部４２に板バネ７端部をスライド自在に挿通保持し且つ収納基部４１上に上記板バネ７両端部近傍のストッパー７４をスライド案内自在とした、本例にあって合成樹脂成形部材によるものとしてある。
【００２９】
即ち、アーム４は、合成樹脂で一体に成形した、例えば数ｃｍ長さにして、上記起立部４２と収納基部４１を一体に備えた、昇降枠３長手方向両端で同一形状にして反転使用可能としたものとしてあり、その起立部４２は、収納基部４１の端部スライド杆５側の端部に起立配置するとともに該起立部４２の上下中間位置に板バネ７を前後一方の開口から挿通する挿通孔４３と、その背面に位置する板バネ７長手方向端部の折曲片７２を引掛保持する係止部４４と、該係止部４４を配置した挿通孔４３に連続してパネル２１側方に向けて該上記折曲片７２をスライド案内自在とするスライド溝４５を備えたものとしてあり、また、該起立部４２を配置した収納基部４１は、端部スライド杆５と逆方向、即ち昇降枠３長手方向中間方向に向けて、厚さを昇降枠３の前後幅に合せてこれより幾分薄くすることによって、昇降枠３に該収納基部４１を上下方向乃至長手方向にスライド自在に収納する、板状乃至面内中間を肉抜きして、上記起立部４２とＬ字状をなすものとしてあり、このとき該収納基部４１の上面は、例えば緩傾斜の平坦面をなすようにしてある。
【００３０】
一対の端部スライド杆５は、同じく合成樹脂乃至金属の、例えば１０ｃｍ程度の長さにして下向き開口断面Ｃ字状の、同じく昇降枠３長手方向両端で同一形状にして共用可能としたバー材によるものとし、その下向き開口を上記アーム４の起立部４２及び作動突起６を挿入する受溝としてあり、このとき、本例の端部スライド杆５は、その前後両側面に上記アーム４の起立部４２及び作動突起６をネジ固定する透孔を配置するとともに該アーム４の起立部４２用の透孔を、長手方向所定ピッチに複数、例えば３箇所配置して、上記シャッター単位２のパネル２１幅、即ち昇降枠３長さに応じて、該アーム４の位置を長手方向に移動した状態で起立部４２の固定をなし得るようにして、複数種のパネル２１幅に共通に使用可能としてある。
【００３１】
一対の作動突起６は、合成樹脂乃至金属の、例えば１ｃｍ程度の短寸バー乃至短寸ブロック状の、同じく昇降枠３長手方向両端で同一形状とするか、例えば、ヒンジ連結側で先端を前後片側を傾斜した傾斜面とし、非連結側で円弧面とした異形状としてあり、その各後端固定部を、上記端部スライド杆５の下向き開口の受溝に挿入して、該端部スライド杆５側面の透孔からネジ止めすることによって、該端部スライド杆５から先端部を突出することによって、下端封止装置Ｂの下框２４装着状態で、該下框２４の両端からパネル２１側方に向けて先端部を突出自在としたものとしてある。
【００３２】
板バネ７は、昇降枠３より短く、一対の端部スライド杆５の間隔より幾分長くして、昇降枠３の上向き開口溝の幅より幾分幅狭の前後幅とし、長手方向両端部近傍からその先端側に向けたコイルスプリング８を保持するスプリング保持部７１を備えるとともにその先端を上下一方、本例にあっては上方に向けて折曲した、上記アームにおける起立部４２の係止部４４に該板バネ７を引掛保持する折曲片７２を備えた長寸にして単一のものとしてあり、また、その長手方向中間に上記昇降枠支持部材７３を、長手方向両端部近傍に上記ストッパー７４を配置したものとしてある。このとき、本例の板バネ７は、これを、帯鋼のプレス打抜き材によって形成するとともに上記ストッパー７４及び昇降枠支持部材７３を、該プレス打抜き材に形成した幅方向両側の突起を折曲することによって該板バネ７と一体に形成してあり、また、該板バネ６における本例の昇降枠支持部材７３は、これを、上記昇降枠３の前後内壁に対接する対向片７３ａと、昇降枠３の上端に対接自在の対接片７３ｂとを備えて形成したものとしてある。
【００３３】
即ち、板バネ７は、単一の帯鋼にプレスを施して形成した打抜き材によるものとしてあり、長手方向両端から中間に向けて上記折曲片７２、スプリング保持部７１、ストッパー７４、昇降枠支持部材７３をそれぞれ左右対称に位置するように配置してあり、上記ストッパー７４は、該プレス打抜き材の幅方向両側の突起を折曲したＬ字状をなし、昇降枠支持部材７３は、長手方向中間の前後両側位置に同じくプレス打抜き材の幅方向両側の突起を折曲した下向き湾曲の対向片７３ａ及び上向き矩形の対接片７３ｂを形成したものとしてある。
【００３４】
コイルスプリング８は、上記アーム４の起立部４２と板バネ７のストッパー７４間の間隔に応じた長さと、上記板バネ７のスプリング保持部７１の幅に応じて、該スプリング保持部７１を受入れ自在とするコイル径を備えた圧縮コイルバネとしてある。
【００３５】
このように形成したアーム４、端部スライド杆５、作動突起６、板バネ７及びコイルスプリング８は、端部スライド杆５の下向き開口の受溝に、上記アーム４の起立部４２と作動突起６を挿入し、それぞれ端部スライド杆５の透孔を介してこれらをネジ固定する一方、板バネ７のスプリング保持部７１にコイルスプリング８を被嵌し、アーム４の起立部４２における挿通孔４３に、その前後一方の開口から該板バネ７の長手方向両端の折曲片７２を挿入することによって、板バネ７のストッパー７４とアーム４の起立部４２間にコイルスプリング８を配置するとともに該板バネ７のストッパー７４をアーム４の収納基部４１の上面にスライド自在に載置するようにして、板バネ７を介して上記一対の端部スライド杆５及び一対のアーム４を該昇降枠３に一体的に保持して、昇降枠３の上向き開口溝にアーム４の収納基部４１と板バネ７の長手方向中間の昇降枠支持部材７３を収納して、下端封止装置Ｂとするものとしてある。
【００３６】
このとき、上記板バネ７の昇降枠支持部材７３は、これを、上記昇降枠３の上向き開口溝の上端折曲片によって抜止め保持して、該板バネ７を介して上記一対の端部スライド杆５及び一対のアーム４を該昇降枠３に一体的に保持することによって、下端封止装置Ｂを部材一体のユニットとしてあり、本例にあって、該部材一体のユニットは、これを、昇降枠３の長手方向一端からアーム４の収納基部４１及び板バネ７の昇降枠支持部材７３をスライド挿入して行い且つ昇降枠３の長手方向両端に端部キャップ３２を嵌合配置して形成したものとしてある。
【００３７】
即ち、例えば、昇降枠３の上向き開口溝の長手方向一端から、一方の端部スライド杆５を手持ちして、一方のアーム４の収納基部４１、板バネ７の長手方向中間の各昇降支持部材７３、他方のアーム４の収納基部４１を順次スライド挿入し、上記一方の端部スライド杆５と他方の端部スライド杆５を昇降枠３上に載置するとともに板バネ７のストッパー７３をアーム４の収納基部４１上に載置するとともに昇降枠３の両端に、嵌合突部を嵌合することによって昇降枠３の長手方向両端に端部キャップ３２を配置し、その上向き開口溝を塞ぐようにして、上記部材一体のユニットを構成してある。該下端封止装置Ｂ、即ち、そのユニットは、その長手方向端部から、一方又は双方の作動突起６を端部キャップ３２より数ｍｍ程度側方に突出するようにして、該作動突起６を押圧することによって板バネ７の昇降枠支持部材７３が昇降枠３とその下向き突出の封止ビート３１を幾分上昇するように、パネル２１の下框２４に配置するものとしてある。
【００３８】
これにより、一対のアーム４の収納基部４１と板バネ７の同じく一対の昇降支持部材７３が昇降枠３の上向き開口溝に収納されるとともに該板バネ７の一対の昇降支持部材７３が該上向き開口溝内にあって、その上記上端折曲片に昇降支持部材３の対接片７３ｂが対接することによって、板バネ７がその中間位置２箇所の昇降支持部材７３によって昇降枠３に一体的に保持されるとともに一対のアーム４が昇降枠３内に保持され、該アーム４に板バネ７のストッパー７４が載置し且つ端部スライド杆５がアーム４を介して昇降枠３上に載置され、全体としての一体性が確保され、上記作動突起６の押圧によって昇降枠３とその封止ビート３１を上昇し、押圧解除によって降下する下端封止装置Ｂが形成されるとともにこれをユニットとしたことによって、その下框２４への装着を安定且つ確実に行うことが可能となる。
【００３９】
該下端封止装置Ｂの下框２４への装着は、上記開口枠の上下枠１ａ、１ｂ間に上吊支持したシャッター単位２における各パネル２１の下框２４の上記下向き開口溝、即ち、下框２４に一体に成形し又はこれと別に成形した溝部材を該下框２４にネジ等によって添設固定することによって形成して配置した下向き開口溝内に収納配置し且つ各パネル２１の縦框２３下端に配置した図示省略の小口キャップの透孔から上記作動突起を突出配置し、シャッター単位の開閉による上記コイルスプリング８の付勢力を用いた該作動突起６の突没によって下框２４の下向き開口溝内で昇降枠３の昇降を自在としてある。このとき、小口キャップは、例えば合成樹脂の成形品にして、下端封止装置Ｂの作動突起６を挿通突出する突起受入透孔とその下位に位置する端部キャップ３２を受入れる下向きの切欠きを室外側に、縦框２３に装着する気密材の形状に合せた突条を室内側に備えたものとしてあり、縦框２３下端に上記突起受入透孔の上位に配置した固定片を対接し、そのネジ透孔からネジを縦框２３に螺入して、該縦框２３にネジ固定するものとしてあり、上記下端封止装置Ｂは、これを、下框２４の長手方向一端からスライド挿入し、下向き開口溝をその下端で狭めるように配置した前後一方又は双方の突条によって支持するとともに小口キャップによってその長手方向両端を挟持するように支持することによって、該下框２４に装着するものとしてあり、該下框２４への装着によって、シャッター単位２の上記開閉に応じて下框２４内で上記昇降枠３の昇降を行って、閉鎖時に下枠１ｂに対する昇降枠３の封止ビート３１対接による気密性確保を行うとともに開閉動に際しては、該封止ビート３１の対接を解除し、その対接による摩擦抵抗を解消し、スムーズな開閉を行うことができる。
【００４０】
図示した例は以上のとおりとしたが、ストッパー及び昇降枠支持部材を別部材の金具として、これを板バネの所定位置に溶着、ネジ止め等の固定手段によって固定すること、昇降枠支持部材を、上記対向片の配置を省略して、昇降枠の底壁にあって、上端に対接自在の対接片を有するものとすること等を含めて、本発明の実施に当って、横引きシャッター、シャッター単位、パネル、下框、開口枠の上下枠、下端封止装置、昇降枠、封止ビート、アーム、端部スライド杆、作動突起、板バネ、昇降枠支持部材、ストッパー、コイルスプリング等の各具体的形状、材質、構造、これらの関係、これらに対する付加等は、上記発明の要旨に反しない限り様々な形態のものとすることができる。
【符号の説明】
【００４１】
Ａ  横引シャッター
Ｂ  下端封止装置
１ａ  上枠
１ｂ  下枠
２  シャッター単位
２１  パネル
２２  上框
２３  縦框
２４  下框
２５  上吊ローラー
２６  振止ローラー
３  昇降枠
３１  封止ビート
３２  端部キャップ
４  アーム
４１  収納基部
４２  起立部
４３  挿通孔
４４  係止部
４５  スライド溝
５  端部スライド杆
６  作動突起
７  板バネ
７１  スプリング保持部
７２  折曲片
７３  昇降枠支持部材
７３ａ  対向片
７３ｂ  対接片
７４  ストッパー
８  コイルスプリング
【図１】
0005460217.tif 000002
【図２】
0005460217.tif 000003
【図３】
0005460217.tif 000004
【図４】
0005460217.tif 000005
【図５】
0005460217.tif 000006
【図６】
0005460217.tif 000007
【図７】
0005460217.tif 000008
【図８】
0005460217.tif 000009
【図９】
0005460217.tif 000010
【図１０】
0005460217.tif 000011
【図１１】
0005460217.tif 000012